(57)【要約】【課題】  貯玉再プレイ機能とＩＣコインを使った高額対応の貸出システムの機能を両立させながらも簡易な構成で実現できる、利便性及び安全性の高い遊技媒体貸出システムを提供する。【解決手段】  メンバー管理装置３０と連携して動作するＩＣコイン発行装置１００を設け、会員の会員番号に基づく有効期限付きのＩＣコインを発行する。これにより、ＩＣコインを使って会員の貯玉データに基づく遊技媒体の払い出しをすることができ、システムを簡易な構成で実現することができる。【選択図】  図１
2006158843.tif 000002
【特許請求の範囲】
【請求項１】
ＩＣコインを受け入れて遊技媒体を貸し出す遊技媒体貸出装置と、
顧客会員が貯留する遊技媒体の貯留データを各顧客の会員ＩＤに対応付けた貯留データファイルにより管理するメンバー管理装置と、
各顧客会員に配布された会員カードを受け付け、当該会員カードから読み取った会員ＩＤを前記メンバー管理装置へ送信する会員カード受付装置と、
当該会員カード受付装置に接続され、当該会員カード受付装置から前記会員カードを受け付けた際に出力されるカード受付信号を受信したとき、所定の有効期限付きのＩＣコインを発行するとともに、発行したＩＣコインの識別情報であるコインＩＤを前記メンバー管理装置へ送信するＩＣコイン発行装置とを備える遊技媒体貸出システムであって、
前記メンバー管理装置は、前記貯留データファイルにおいて、前記会員カード受付装置で読み取られた会員ＩＤに対し前記ＩＣコイン発行装置が発行したＩＣコインのコインＩＤを対応付けて記憶することを特徴とする遊技媒体貸出システム。
【請求項２】
前記会員カード受付装置は、顧客会員の認証情報を入力可能な認証情報入力部を有し、投入された前記会員カードから読み取った会員ＩＤと、前記認証情報入力部に入力された認証情報とを含む認証要求を前記メンバー管理装置に対して送信し、前記メンバー管理装置から認証する旨の結果を受信した場合に、前記カード受付信号を前記ＩＣコイン発行装置へ送信することを特徴とする請求項１に記載の遊技媒体貸出システム。
【請求項３】
前記認証情報入力部はキー入力スイッチであり、前記認証情報は、少なくとも数字列、英文字列又はこれらを組み合せた文字列からなるパスワードであることを特徴とする請求項２に記載の遊技媒体貸出システム。
【請求項４】
前記メンバー管理装置は、前記遊技媒体貸出装置に投入されたＩＣコインのコインＩＤを含む払出許可要求を当該遊技媒体貸出装置から受信すると、前記貯留データファイルを参照し、受信した当該コインＩＤに基づく顧客会員の貯留データを貸出数だけ減算するとともに当該遊技媒体貸出装置へ払出許可を送信し、
前記遊技媒体貸出装置は、当該払出許可の受信に応じて当該貸出数の遊技媒体を払い出すことを特徴とする請求項１〜３の何れか１項に記載の遊技媒体貸出システム。
【請求項５】
各ＩＣコインが保有する有価価値を各ＩＣコインのコインＩＤに対応付けた論理マネー管理ファイルにより管理するＩＣコイン管理装置を更に備え、
前記ＩＣコイン発行装置は、新たなＩＣコインを発行したとき、前記ＩＣコイン管理装置に当該ＩＣコインのコインＩＤを送信し、
前記ＩＣコイン管理装置は、当該コインＩＤを受信したとき、当該日を発行日とする発行日データを当該コインＩＤに対応付けて前記論理マネー管理ファイルにおいて記憶し、
前記遊技媒体貸出装置は、投入されたＩＣコインのコインＩＤとともに払出許可要求を前記ＩＣコイン管理装置を経由して送信し、
前記ＩＣコイン管理装置は、前記払出許可要求を受信したとき、前記論理マネー管理ファイルに記憶された当該ＩＣコインの前記発行日データに基づいて、当該払出許可要求を受信した当該時が前記有効期限内か否か判断し、有効期限を過ぎている場合には、前記払出許可要求を前記メンバー管理装置に転送しないか、又は遊技媒体の払い出しを規制する払出規制信号を当該遊技媒体貸出装置に対し返信することを特徴とする請求項４に記載の遊技媒体貸出システム。
【請求項６】
前記有効期限は、前記ＩＣコイン発行装置によるＩＣコインの発行当日限りであることを特徴とする請求項１〜５の何れか１項に記載の遊技媒体貸出システム。
【請求項７】
前記会員カード受付装置は、会員カードを受け付けたとき、当該受付処理のタスク割込に対して固有の受付タスクＩＤを生成して割り当て、前記会員ＩＤとともに当該受付タスクＩＤを前記メンバー管理装置へ送信し、かつ同じ受付タスクＩＤを前記カード受付信号とともに前記ＩＣコイン発行装置へ送信し、
当該ＩＣコイン発行装置は、発行したＩＣコインのコインＩＤとともに当該受付タスクＩＤを前記メンバー管理装置へ送信し、
当該メンバー管理装置は、前記会員カード受付装置と前記ＩＣコイン発行装置とから受信した前記受付タスクＩＤが相互に一致する信号に含まれる会員ＩＤとコインＩＤとを対応付けて前記貯留データファイルに記憶することを特徴とする請求項１〜６の何れか１項に記載の遊技媒体貸出システム。
【請求項８】
ＩＣコインを受け入れて遊技媒体を貸し出す遊技媒体貸出装置と、顧客会員が貯留する遊技媒体の貯留データを各顧客の会員ＩＤに対応付けた貯留データファイルにより管理するメンバー管理装置と、各顧客会員に配布された会員カードを受け付け当該会員カードから読み取った会員ＩＤを前記メンバー管理装置へ送信する会員カード受付装置とを備える遊技媒体貸出システムに設けられ、前記会員カード受付装置に接続されるＩＣコイン発行装置であって、
前記会員カード受付装置から前記会員カードを受け付けた際に出力されるカード受付信号を受信したとき、所定の有効期限付きのＩＣコインを発行するとともに、発行したＩＣコインの識別情報であるコインＩＤを前記メンバー管理装置へ送信することで、当該メンバー管理装置により、前記会員カード受付装置で読み取られた会員ＩＤと前記ＩＣコイン発行装置が発行したＩＣコインのコインＩＤとを対応付けて、前記貯留データファイルに記憶させることを特徴とするＩＣコイン発行装置。
【請求項９】
ＩＣコインを受け入れて遊技媒体を貸し出す遊技媒体貸出装置と、顧客会員が貯留する遊技媒体の貯留データを各顧客の会員ＩＤに対応付けた貯留データファイルにより管理するメンバー管理装置とを備える遊技媒体貸出システムに設けられるＩＣコイン発行装置であって、
各顧客会員に配布された会員カードを受け付け当該会員カードから会員ＩＤを読み取るデータ読取部と、会員カードを受け付けたとき所定の有効期限付きのＩＣコインを発行するコイン発行部とを有し、
任意の会員カードが投入されたとき、前記データ読取部は、当該会員カードから読み取った会員ＩＤを前記メンバー管理装置へ送信し、前記コイン発行部は、所定の有効期限付きのＩＣコインを発行するとともに、発行したＩＣコインの識別情報であるコインＩＤを前記メンバー管理装置へ送信することで、読み取った会員ＩＤと発行したＩＣコインのコインＩＤとを対応付けて、前記メンバー管理装置の前記貯留データファイルに記憶させることを特徴とするＩＣコイン発行装置。
【請求項１０】
前記有効期限は、ＩＣコインの発行当日限りであることを特徴とする請求項８又は９に記載のＩＣコイン発行装置。
【発明の詳細な説明】
【技術分野】
【０００１】
本発明は、例えばパチンコホール等の遊技店舗において、会員管理システムを利用して遊技球等の遊技媒体を貸し出す遊技媒体貸出システムに関する。
【背景技術】
【０００２】
従来、パチンコホール等の遊技店舗においては、パチンコ機等の遊技機に使用する遊技球を遊技客に貸し出す遊技媒体貸出システムが知られている。かかる遊技媒体貸出システムにおいては、会員管理システムと連携し、登録会員に配布された会員カードを使用して、遊技で得た遊技球の貯玉と他日来店の際に貯玉を払い戻すことで再プレイできるようにした貯玉再プレイを提供するシステムがある。また、再プレイ時に遊技球を払い出すのではなく、プリペイドカード等と同様の機能を有する再プレイカードを発行するシステムも提案されている（例えば特許文献１及び２を参照）。
【０００３】
また、近年、高額紙幣も対応可能な遊技媒体貸出システムが求められており、これに対しては、金銭データが安全に保持されまた扱いやすい等の点からＩＣタグが埋め込まれたＩＣコインを使った遊技媒体の貸し出しを行うシステムが提案されている（例えば特許文献３及び４を参照）。
【０００４】
【特許文献１】実用新案第３０４２８８９号公報
【特許文献２】特開２００１−９６０３６号公報
【特許文献３】特開２００２−１８１０９号公報
【特許文献４】特開２００３−１９３４１号公報
【発明の開示】
【発明が解決しようとする課題】
【０００５】
ところで、上述した会員管理システムに基づく貯玉再プレイ機能と、ＩＣコインを使った高額対応の貸出システムの機能を両立させる場合、これら会員カードとＩＣコインの２種類で運用しなければならず、またこれらカード類（金銭代用媒体）を受け付ける手段をそれぞれ設ける必要もあり、システムの構成が複雑になるといった問題があった。また、遊技客は、これら複数種類のカード類を用途に応じて使い分けしなければならず、貸し出しに係る操作が煩雑となり困惑する場合があった。また、ＩＣコインが盗まれ転売等されて損害が発生する等のおそれもあった。
【０００６】
本発明は、こうした従来の問題に鑑みてなされたものであり、会員管理システムに基づく貯玉再プレイ機能とＩＣコイン等を使った高額対応の貸出システムの機能を両立させながらも簡易な構成で実現でき、また良好な利便性または高い安全性を有する等の遊技媒体貸出システムを提供することを目的とする。
【課題を解決するための手段】
【０００７】
上述した課題を解決するため、請求項１に記載の発明は、ＩＣコインを受け入れて遊技媒体を貸し出す遊技媒体貸出装置と、顧客会員が貯留する遊技媒体の貯留データを各顧客の会員ＩＤに対応付けた貯留データファイルにより管理するメンバー管理装置と、各顧客会員に配布された会員カードを受け付け、当該会員カードから読み取った会員ＩＤを前記メンバー管理装置へ送信する会員カード受付装置と、当該会員カード受付装置に接続され、当該会員カード受付装置から前記会員カードを受け付けた際に出力されるカード受付信号を受信したとき、所定の有効期限付きのＩＣコインを発行するとともに、発行したＩＣコインの識別情報であるコインＩＤを前記メンバー管理装置へ送信するＩＣコイン発行装置とを備える遊技媒体貸出システムであって、前記メンバー管理装置は、前記貯留データファイルにおいて、前記会員カード受付装置で読み取られた会員ＩＤに対し前記ＩＣコイン発行装置が発行したＩＣコインのコインＩＤを対応付けて記憶することを特徴とする。
【０００８】
請求項２に記載の発明は、請求項１に記載の遊技媒体貸出システムであって、前記会員カード受付装置は、顧客会員の認証情報を入力可能な認証情報入力部を有し、投入された前記会員カードから読み取った会員ＩＤと、前記認証情報入力部に入力された認証情報とを含む認証要求を前記メンバー管理装置に対して送信し、前記メンバー管理装置から認証する旨の結果を受信した場合に、前記カード受付信号を前記ＩＣコイン発行装置へ送信することを特徴とする。
【０００９】
請求項３に記載の発明は、請求項２に記載の遊技媒体貸出システムであって、前記認証情報入力部はキー入力スイッチであり、前記認証情報は、少なくとも数字列、英文字列又はこれらを組み合せた文字列からなるパスワードであることを特徴とする。
【００１０】
請求項４に記載の発明は、請求項１〜３の何れか１項に記載の遊技媒体貸出システムであって、前記メンバー管理装置は、前記遊技媒体貸出装置に投入されたＩＣコインのコインＩＤを含む払出許可要求を当該遊技媒体貸出装置から受信すると、前記貯留データファイルを参照し、受信した当該コインＩＤに基づく顧客会員の貯留データを貸出数だけ減算するとともに当該遊技媒体貸出装置へ払出許可を送信し、前記遊技媒体貸出装置は、当該払出許可の受信に応じて当該貸出数の遊技媒体を払い出すことを特徴とする。
【００１１】
請求項５に記載の発明は、請求項４に記載の遊技媒体貸出システムであって、各ＩＣコインが保有する有価価値を各ＩＣコインのコインＩＤに対応付けた論理マネー管理ファイルにより管理するＩＣコイン管理装置を更に備え、前記ＩＣコイン発行装置は、新たなＩＣコインを発行したとき、前記ＩＣコイン管理装置に当該ＩＣコインのコインＩＤを送信し、前記ＩＣコイン管理装置は、当該コインＩＤを受信したとき、当該日を発行日とする発行日データを当該コインＩＤに対応付けて前記論理マネー管理ファイルにおいて記憶し、前記遊技媒体貸出装置は、投入されたＩＣコインのコインＩＤとともに払出許可要求を前記ＩＣコイン管理装置を経由して送信し、前記ＩＣコイン管理装置は、前記払出許可要求を受信したとき、前記論理マネー管理ファイルに記憶された当該ＩＣコインの前記発行日データに基づいて、当該払出許可要求を受信した当該時が前記有効期限内か否か判断し、有効期限を過ぎている場合には、前記払出許可要求を前記メンバー管理装置に転送しないか、又は遊技媒体の払い出しを規制する払出規制信号を当該遊技媒体貸出装置に対し返信することを特徴とする。
【００１２】
請求項６に記載の発明は、請求項１〜５の何れか１項に記載の遊技媒体貸出システムであって、前記有効期限は、前記ＩＣコイン発行装置によるＩＣコインの発行当日限りであることを特徴とする。
【００１３】
請求項７に記載の発明は、請求項１〜６の何れか１項に記載の遊技媒体貸出システムであって、前記会員カード受付装置は、会員カードを受け付けたとき、当該受付処理のタスク割込に対して固有の受付タスクＩＤを生成して割り当て、前記会員ＩＤとともに当該受付タスクＩＤを前記メンバー管理装置へ送信し、かつ同じ受付タスクＩＤを前記カード受付信号とともに前記ＩＣコイン発行装置へ送信し、当該ＩＣコイン発行装置は、発行したＩＣコインのコインＩＤとともに当該受付タスクＩＤを前記メンバー管理装置へ送信し、当該メンバー管理装置は、前記会員カード受付装置と前記ＩＣコイン発行装置とから受信した前記受付タスクＩＤが相互に一致する信号に含まれる会員ＩＤとコインＩＤとを対応付けて前記貯留データファイルに記憶することを特徴とする。
【００１４】
請求項８に記載の発明は、ＩＣコインを受け入れて遊技媒体を貸し出す遊技媒体貸出装置と、顧客会員が貯留する遊技媒体の貯留データを各顧客の会員ＩＤに対応付けた貯留データファイルにより管理するメンバー管理装置と、各顧客会員に配布された会員カードを受け付け当該会員カードから読み取った会員ＩＤを前記メンバー管理装置へ送信する会員カード受付装置とを備える遊技媒体貸出システムに設けられ、前記会員カード受付装置に接続されるＩＣコイン発行装置であって、前記会員カード受付装置から前記会員カードを受け付けた際に出力されるカード受付信号を受信したとき、所定の有効期限付きのＩＣコインを発行するとともに、発行したＩＣコインの識別情報であるコインＩＤを前記メンバー管理装置へ送信することで、当該メンバー管理装置により、前記会員カード受付装置で読み取られた会員ＩＤと前記ＩＣコイン発行装置が発行したＩＣコインのコインＩＤとを対応付けて、前記貯留データファイルに記憶させることを特徴とする。
【００１５】
請求項９に記載の発明は、ＩＣコインを受け入れて遊技媒体を貸し出す遊技媒体貸出装置と、顧客会員が貯留する遊技媒体の貯留データを各顧客の会員ＩＤに対応付けた貯留データファイルにより管理するメンバー管理装置とを備える遊技媒体貸出システムに設けられるＩＣコイン発行装置であって、各顧客会員に配布された会員カードを受け付け当該会員カードから会員ＩＤを読み取るデータ読取部と、会員カードを受け付けたとき所定の有効期限付きのＩＣコインを発行するコイン発行部とを有し、任意の会員カードが投入されたとき、前記データ読取部は、当該会員カードから読み取った会員ＩＤを前記メンバー管理装置へ送信し、前記コイン発行部は、所定の有効期限付きのＩＣコインを発行するとともに、発行したＩＣコインの識別情報であるコインＩＤを前記メンバー管理装置へ送信することで、読み取った会員ＩＤと発行したＩＣコインのコインＩＤとを対応付けて、前記メンバー管理装置の前記貯留データファイルに記憶させることを特徴とする。
【００１６】
請求項１０に記載の発明は、請求項８又は９に記載のＩＣコイン発行装置であって、前記有効期限は、ＩＣコインの発行当日限りであることを特徴とする。
【００１７】
請求項１に記載の遊技媒体貸出システムによれば、メンバー管理装置は、貯留データファイルにおいて、会員カード受付装置で読み取られた会員ＩＤに対しＩＣコイン発行装置が発行したＩＣコインのコインＩＤを対応付けて記憶する。これにより、ＩＣコインを使って会員ＩＤに基づく遊技媒体の貸し出しが可能となる。したがって、システムを簡易な構成で実現することができる。
【００１８】
請求項２に記載の遊技媒体貸出システムによれば、会員カード受付装置は、メンバー管理装置と連携し本人を認証してから会員カードを受け付けるので、安全性が確保される。また、会員カード受付装置により会員が認証されれば、その後のＩＣコインの利用の際には認証確認が不要となり、操作性、利便性、が高まる。
【００１９】
請求項３に記載の遊技媒体貸出システムによれば、認証情報入力部としてキー入力スイッチを採用することで、システムを簡易に構成することができる。
【００２０】
請求項４に記載の遊技媒体貸出システムによれば、ＩＣコインを使って会員の貯玉データに基づく遊技球の払い出しがされるので、操作性、利便性が高まる。
【００２１】
請求項５に記載の遊技媒体貸出システムによれば、ＩＣコイン管理装置は、ＩＣコインを発行日を記憶することでＩＣコインの有効期限を管理し、有効期限を過ぎたＩＣコインは使用できなくなるので、盗難等による損害を抑制することができる。
【００２２】
請求項６に記載の遊技媒体貸出システムによれば、ＩＣコインの有効期限を発行日限りにするので、盗難等による損害を抑制し安全性を向上させる。
【００２３】
請求項７に記載の遊技媒体貸出システムによれば、メンバー管理装置は、会員カード受付装置とＩＣコイン発行装置とから受信した一致した受付タスクＩＤにより、会員ＩＤとコインＩＤとを対応付けるようにしたので、会員ＩＤを会員カード受付装置からＩＣコイン発行装置へ知らせなくてもシステムを機能させることができる。すなわち、会員に係る情報を保護することができ、システムを簡易な構成で実現することができる。
【００２４】
請求項８に記載のＩＣコイン発行装置によれば、メンバー管理装置は、会員カード受付装置で読み取られた会員ＩＤに対しＩＣコイン発行装置が発行したＩＣコインのコインＩＤを対応付けて記憶する。これにより、ＩＣコインを使って会員ＩＤに基づく遊技媒体の貸し出しが可能となる。したがって、システムを簡易な構成で実現することができる。
【００２５】
請求項９に記載のＩＣコイン発行装置によれば、メンバー管理装置は、ＩＣコイン発行装置のデータ読取部で読み取った会員ＩＤとコイン発行部が発行したＩＣコインのコインＩＤを対応付けて記憶する。これにより、ＩＣコインを使って会員ＩＤに基づく遊技媒体の貸し出しが可能となる。したがって、システムを簡易な構成で実現することができる。
【００２６】
請求項１０に記載のＩＣコイン発行装置によれば、ＩＣコインの有効期限を発行日限りにするので、盗難等による損害を抑制し安全性を向上させる。
【発明の効果】
【００２７】
本発明に係る遊技媒体貸出システムによれば、メンバー管理装置と連携して動作するＩＣコイン発行装置を設け、顧客会員の会員ＩＤに基づく有効期限付きのＩＣコインを発行するようにした。これにより、ＩＣコインのみを使って顧客会員の貯留データに基づく遊技媒体の払い出しをすることができ、システムを簡易な構成で実現することができる。また、ＩＣコインのみを使って遊技媒体の払い戻し、及び貸し出しが可能なため、操作性または利便性等が向上する。また、ＩＣコインを取り扱う上での安全性が高まる。
【発明を実施するための最良の形態】
【００２８】
以下、本発明の好適な実施形態として、パチンコホール等の遊技店舗に構築され遊技客に遊技媒体を有料で貸し出す遊技媒体貸出システムについて説明する。なお、本実施の形態の説明では、遊技機をパチンコ機とし、また遊技媒体をパチンコ機に使用する遊技球（パチンコ玉）とした玉貸システムについて説明する。但し、遊技機としてはスロットマシンその他の遊技機であってもよく、また遊技媒体は遊技メダル、ゲームカード等であってもよい。また、本システムは、遊技店舗またはこの遊技店舗が属しているフランチャイズチェーンにおいて共通の顧客会員（以下、単に「会員」という）が利用し得る貯玉再プレイ機能に係る会員管理システムと、ＩＣコインを介して会員及び非会員の遊技客が共に利用可能な高額対応の玉貸し機能に係るネットワークシステムとが併存する簡易なシステム構成となっている。
【００２９】
まず、図１のブロック図に基づいて、パチンコホールに構築される玉貸システムの全体構成を説明する。
【００３０】
図１に示されるシステムは、各パチンコ機２０に隣接して、遊技球を遊技客に貸し出す遊技媒体貸出装置としての台間玉貸機１０と、当該遊技店舗の会員として登録された遊技客が貯玉（貯留）する貯玉データを管理するコンピュータであるメンバー管理装置３０と、各会員に配布された会員カードを受け付けその会員を認証する端末装置としての会員カード受付装置２００と、ＩＣコインを発行するＩＣコイン発行装置１００と、発行されたＩＣコインが保有する有価価値をそのＩＣコインの識別情報であるコインＩＤに基づいて管理するコンピュータであるＩＣコイン管理装置４０とを少なくとも備え、これらがネットワーク（イーサネット等のＬＡＮ回線）５００、６００を介して接続されている。
【００３１】
ここで、ＩＣコインは、メモリチップ（主としてフラッシュメモリ）と、その記憶内容を無線通信による読み出し、及び書き込みを制御するチップセット（ＩＣタグ）を樹脂材料でコイン状に封止、成形した情報記憶媒体である。本発明では、遊技に使用可能な金銭代用媒体としての用途に供し得る情報記憶媒体としてＩＣコインを例に説明しているが、同様の機能を有するものであればコイン状のものに限定するものではなく、例えばカード状のＩＣカードまたは磁気カードであってもよい。また、データの書き込みを不可とし、少なくとも固有のＩＤ（「コインＩＤ」に相当）が記憶された読み出し専用の情報記憶媒体であってもよい。ＩＣコインは、金銭代用媒体としての用途において取り扱いが容易である等の利便性と、記憶するデータが改ざんされ難い等の高い安全性とを有するものである。
【００３２】
始めに、上述したＩＣコインを使って遊技球の貸し出しを行う高額対応に係る部分のシステム構成について説明する。
【００３３】
台間玉貸機１０は、後述するように、ＩＣコインの投入口を有するＩＣコイン受付部を有し、遊技客が遊技球の貸し出しを求めて投入口にＩＣコインを１枚投入すると、当該ＩＣコインの識別情報（以下、「コインＩＤ」という）を読み取り、読み取ったコインＩＤの情報を含む払出許可要求の信号をＩＣコイン管理装置４０へ送信する。また、ＩＣコイン投入した後、図示しない貸出ボタンを遊技客が押す（貸出操作）毎に、上記払出許可要求の信号をＩＣコイン管理装置４０へ送信する。
【００３４】
ＩＣコイン管理装置４０は、磁気ディスクユニット等の記憶装置に、図２に示されるデータ構成の論理マネー管理ファイル４１を記憶管理している。ＩＣコイン管理装置４０は、いずれかの台間玉貸機１０から払出許可要求の信号を受信すると、当該ＩＣコインが有価価値を保有するものか否か論理マネー管理ファイル４１を参照して調べる。
【００３５】
論理マネー管理ファイル４１には、各ＩＣコインのコインＩＤ毎に単位取引金額に分けられた論理マネーが記憶、管理され、コインＩＤに基づいて記憶された論理マネーの総額が当該ＩＣコインが保有する有価価値となっている。
【００３６】
ここで、「論理マネー」とは、遊技に使用可能な有価価値に相当するデータのことをいう。また、「論理マネー」は、単に有価価値（金額）そのものの値を表すデータではなく、図２に示されるように、論理マネー管理ファイル４１において、単位取引金額（１回の貸出操作による遊技球の払い出しに課される予め定められた金額、例えば１０００円）毎に分割されて管理され、それ自体が示すデータは、それぞれに割り当てられたユニークな識別データ（例えば、シリアル番号）である。例えば、図２に示される論理マネー管理ファイル４１のコインＩＤ＝１０１に基づく口座には、６枚の単位論理マネーが記憶されており、単位取引金額を１０００円とすれば、当該ＩＣコインは６０００円の価値を有しているものとして扱われる。
【００３７】
このように、「論理マネー」は、実際の紙幣と同様に送り出し元と受け取り先で１枚毎に取引されるべく個別に管理されている。これによれば、論理マネーを介して装置間の取引の履歴を識別データとともに記録することができ、仮に取引において異常が発生した場合でも、どの段階で異常が発生したかを識別データに基づいて特定することが可能となる。また、ユニークな識別データで取引毎の確認が行なわれるため、伝送路上の事故により破壊された論理マネーの修復が可能となる。また、送り出し側の事故等により誤って重複的に送り出された論理マネーも、受け取り側でその識別データが同一のものであると確認できれば、当該論理マネーの重複した受信処理が回避され、適正な取引が維持されることとなる。
【００３８】
ＩＣコイン管理装置４０は、台間玉貸機１０から払出許可要求の信号を受信すると、論理マネー管理ファイル４１を参照し、当該ＩＣコインのコインＩＤから特定される口座に論理マネーが記憶されているか否か調べる。少なくともＩＣコインが単位論理マネーを１枚保有している場合には、当該台間玉貸機１０へ玉払い出し許可の信号を送信するとともに、当該コインＩＤに基づく口座から単位論理マネー１枚のデータを消去する。台間玉貸機１０は、玉払出許可の信号を受信すると、１回の操作で貸し出される予め定められた貸出数の遊技球を、前面に設けられた回動ノズルよりパチンコ機２０の受け皿へ払い出す。このとき、ＩＣコイン管理装置４０は、当該台間玉貸機１０へ投入されたＩＣコインの残高情報を送信し、当該台間玉貸機１０の情報表示部（例えば７セグＬＥＤ）にＩＣコインの残高金額を表示させてもよい。
【００３９】
なお、詳細は後述するが、本発明に係るテンポラリな（すなわち有効期限付きの）ＩＣコインが投入された場合には、それ自体は有価価値を有するものではないが、そのＩＣコインを発行した会員をメンバー管理装置３０で照合されれば、遊技球の払い出しを許可し、会員番号に基づく料金の自動支払い（決済）ができるようになっている。
【００４０】
また、店舗内のネットワーク５００には、預り金両替機５０、預り金返却装置６０が接続されている。預り金両替機５０は、現金の投入を受けてＩＣコインの発行（両替）を行う装置である。預り金両替機５０に投入された現金は、上述のＩＣコイン管理装置４０の論理マネー管理ファイル４１において、発行したＩＣコインのコインＩＤに基づく口座に論理マネーとして記憶し管理される。預り金返却機６０は、ＩＣコインの投入を受け、そのＩＣコインが保有する有価価値（論理マネー）に相当する現金を、当該ＩＣコインの投入者に返却する。すなわち、預り金返却機６０は、残高を有しているＩＣコインを現金に精算するための装置ともいえる。
【００４１】
次に、貯玉再プレイ機能に係る会員管理システムの構成について説明する。
【００４２】
再び図１を参照し、メンバー管理装置３０には、少なくともＰＯＳシステム（Point of Sales System）８０と、玉計数機９０とがネットワーク６００を介して接続されている。
【００４３】
メンバー管理装置３０は、磁気ディスクユニット等の記憶装置に、図３に示されるデータ構成のメンバー管理ファイル３１と貯玉データファイル３２とを記憶管理している。同図によれば、メンバー管理ファイル３１には、各会員に個別に割り当てられている会員番号毎に、その会員の属性情報であるパスワード（会員が任意に決めた数字列、英文字列、または英数字を組み合せた文字列）、会員の氏名、生年月日等の会員情報が対応付けられて記憶されている。また、貯玉データファイル３２には、会員番号毎に、その会員が貯玉する遊技球の数である貯玉数（貯玉データ）と、その会員に貸与された後述するテンポラリなＩＣコインのコインＩＤと、当該ＩＣコインを発行する際に会員カードを受け付けた割込処理（受付タスク）に対し固別に割り当てられる後述の受付タスクＩＤとが対応付けられて記憶されている。なお、これらメンバー管理ファイル３１と貯玉データファイル３２とを１つのデータ管理ファイルにまとめて、上述の各種属性情報を会員番号に基づいて記憶管理してもよい。また、貯玉データファイル３２には、貯玉数とともにマイレージポイント等の蓄積可能なサービスポイントを併せて記憶するものであってもよい。
【００４４】
ＰＯＳシステム８０は、主としてパチンコホールの景品交換カウンタに設置されるものであり、例えばタッチパネル式の液晶表示部を有するレジ機と、会員カードの情報を読み取るカードリーダと、キーボードと、バーコードスキャナとを少なくとも備えて構成され、メンバー管理装置３０の情報端末装置として機能する。貯玉を景品に交換しようとする遊技客は、店員等に会員カードを渡してカードリーダに挿入し、キーボードに所定のパスワードを入力する。ＰＯＳシステム８０は、カードリーダが当該会員カードから会員番号を読み取り、キーボードに入力されたパスワードとともに認証要求の信号をメンバー管理装置３０へ送信する。
【００４５】
メンバー管理装置３０側では、ＰＯＳシステム８０から送信された会員番号とパスワードとをメンバー管理ファイル３１を参照して照合し、送信されたパスワードが会員番号に対応するものであれば、当該会員を認証する。そして、貯玉データファイル３２に記憶されたその会員の貯玉データを会員情報とともにＰＯＳシステム８０に返信する。
【００４６】
ＰＯＳシステム８０は、受信した貯玉データをレジ機の液晶表示部に表示させるとともに、その貯玉数の範囲内で交換可能な景品のリスト等を表示させる。当該会員である遊技客が、表示された景品リストのなかから欲しい景品をタッチパネルで選択するか、または遊技客が申し出る景品のバーコードをスキャナで読み取らせる。
【００４７】
そして、ＰＯＳシステム８０は、選択された景品の対価に等しい貯玉数の出玉要求信号を会員番号の情報とともにメンバー管理装置３０へ送信する。メンバー管理装置３０側では、出玉要求信号を受信すると、貯玉データファイル３２の当該会員番号に基づく貯玉数のデータを、受信した要求出玉数だけ減算する。そして、当該景品が不図示の景品自動投出装置により放出されるか、または店員によって遊技客に手渡される。かかるＰＯＳシステム８０を介した処理手続きにより、遊技客会員は、貯玉していた遊技球を消費して景品と交換することができる。
【００４８】
玉計数機９０は、再プレイ可能な貯玉として遊技球をホールに預けるための装置であり、投入された遊技球の数を高速で計数する計数部と、投入された会員カードの情報を読み取るカードデータ読取部とを備えている。すなわち、遊技客が遊技で得た遊技球をホールに貯玉する場合、遊技球を玉計数機９０の上面に形成された遊技球投入口に投入し、会員カードを図示しないカード挿入口へ挿入する。玉計数機９０は、計数部が計数した遊技球の計数値と、カードデータ読取部が会員カードから読み取った会員番号の情報とを含む貯玉要求信号をメンバー管理装置３０へ送信する。このとき、投入された遊技球は玉計数機９０内のタンクに回収される。
【００４９】
メンバー管理装置３０側では、貯玉要求信号を受信すると、貯玉データファイル３２の当該会員番号に基づく貯玉数のデータを、受信した計数値だけ加算する。これにより、当該遊技客会員は、玉計数機９０に投入した遊技球を再プレイ可能な遊技球としてホールに貯玉することができる。
【００５０】
かかる玉貸システムにおいて、上述した貯玉再プレイ機能とＩＣコインによる玉貸し機能とを簡易なシステム構成で併存し得るように設けられた、本発明の特徴的な部分でもあるＩＣコイン発行装置１００と会員カード受付装置２００の構成、及び本玉貸システムにおけるこれら装置の連携動作について、以下、図面を参照しながら詳細に説明する。
【００５１】
図１に示したように、ＩＣコインを発行するＩＣコイン発行装置１００と、挿入された会員カードを受け付ける会員カード受付装置２００とは、信号配線ケーブル等を介して直接的に接続され、ＩＣコイン発行装置１００側はＩＣコイン管理装置４０が接続されているネットワーク５００に回線接続し、会員カード受付装置２００側はメンバー管理装置３０側が接続されているネットワーク６００に回線接続されている。
【００５２】
なお、上述した貯玉再プレイ機能に係るシステムのネットワーク６００は、図１に示されるように、玉貸し機能に係るシステムのネットワーク５００とは別の通信プロトコルで分離して構成することが望ましい。その理由は、メンバー管理装置３０を有するネットワークシステムは、会員の一部個人的な情報を扱っているため、他の機能に係るネットワークシステムへの情報の漏洩防止、保護等が特に求められているからである。本実施形態では、これらシステムを別々のネットワークで構成し、メンバー管理装置３０とＩＣコイン管理装置４０との間に通信の整合を取るためのゲートウェイ７０を設けている。なお、同一のシステム会社がこれらのシステム全体を一括して供給するものであって、会員番号等の顧客情報が他社システムへ漏洩しない等の情報の保護が確保されたシステムであれば、併存する２つのネットワークを１つに共通化することも可能である。
【００５３】
図４を参照し、ＩＣコイン発行装置１００と会員カード受付装置２００のハードウェア構成について説明する。なお、図４は、前述した有効期限付きのテンポラリなＩＣコイン（ＴＣ）の新規発行動作に係る部分のハードウェアシステム構成を表したブロック図である。
【００５４】
ＩＣコイン発行装置１００は、装置の動作制御を司るマイクロコンピュータからなる制御部１０１に、ＩＣコイン発行部１０２と、会員カード受付装置２００との通信を可能にする通信回路１０３と、ＩＣコイン管理装置４０と回線接続し通信を可能にする通信回路１０４とが接続されている。
【００５５】
会員カード受付装置２００は、装置の動作制御を司るマイクロコンピュータからなる制御部２０１に、カードデータ読取部２０２と、会員本人を認証する認証情報を入力するための認証情報入力部としてのキー入力部（例えば押圧式またはタッチ式のキー入力スイッチ）２０３と、メンバー管理装置３０と回線接続し通信を可能にする通信回路２０４と、ＩＣコイン発行装置１００との通信を可能にする通信回路２０５とが接続されている。なお、上記認証情報としては、会員が任意に決めた複数桁の数字列等からなるパスワードが簡易構成を目的とする装置においては望ましい。しかし、会員本人の認証をより確実にし、認証操作の簡便さを重視する場合には、人の指紋、虹彩等の生体情報に基づく認証方式（バイオメトリクス認証方式）を採用してもよい。この方式の場合においては、認証情報入力部は、生体情報を取り込むスキャナであり、スキャナで取り込まれコード化された生体情報が認証情報としてメンバー管理装置３０へ送信される。
【００５６】
メンバー管理装置３０は、ＣＰＵ３３に、例えば磁気ディスクユニットである記憶装置３４と、装置の制御プログラムが記憶されたＲＯＭ３５と、ＣＰＵ３３による処理において使用する作業メモリ領域を提供するＲＡＭ３６と、会員カード受付装置２００との回線接続を可能にする通信回路３８と、ＩＣコイン管理装置４０との回線接続を可能にする通信回路３７とが、内部バスで接続されている。なお、記憶装置３４には、前述したデータ構成を有するメンバー管理ファイル３１と、貯玉データファイル３２とが記憶され管理されている。
【００５７】
一方、ＩＣコイン管理装置４０は、ＣＰＵ４３に、例えば磁気ディスクユニットである記憶装置４４と、装置の制御プログラムが記憶されたＲＯＭ４５と、ＣＰＵ４３による処理において使用する作業メモリ領域を提供するＲＡＭ４６と、ＩＣコイン発行装置１００との回線接続を可能にする通信回路４７と、メンバー管理装置３０との回線接続を可能にする通信回路４８と、日付情報を供給し得る時計４９とが、内部バスで接続されている。なお、記憶装置４４には、前述したデータ構成を有する論理マネー管理ファイル４１が記憶され管理されている。
【００５８】
本システムによる新たにテンポラリなＩＣコイン（ＴＣ）発行する動作について、図４のブロック図と、図５及び図６のフローチャートを参照して説明する。
【００５９】
まず、会員である遊技客は、ＩＣコイン（ＴＣ）の発行を求め、会員カード受付装置２００へ自身が所有する会員カードを挿入する（ステップＳ１０１）。会員カード受付装置２００は、カードデータ読取部２０２により、挿入された会員カードから会員番号の情報を読み取る（ステップＳ１０２）。
【００６０】
続いて、会員カード受付装置２００は、パスワードの入力を遊技客に促し、遊技客がキー入力部２０３により所定のパスワードを入力すると（ステップＳ１０３）、メンバー管理装置３０に対し、読み取った会員番号とパスワードの情報を含む認証要求の信号を送信する（ステップＳ１０４）。
【００６１】
メンバー管理装置３０は、認証要求とともに受信した会員番号とパスワードとをメンバー管理ファイル３１を参照して照合し、パスワードが会員番号に対応するものであれば、当該会員を認証する。そして、会員本人として認証する旨の認証結果を会員カード受付装置２００へ返信する（ステップＳ１０５）。
【００６２】
会員カード受付装置２００は、会員として認証する旨の認証結果を受信すると、会員カードを受け付ける処理タスクを起動する。この時、当該受付タスクの割込イベントに対して固有のＩＤ（これを「受付タスクＩＤ」という）を生成し、当該会員番号とともにメンバー管理装置３０へ送信する（ステップＳ１０６）。更に、生成した当該受付タスクＩＤを含むカード受付信号をＩＣコイン発行装置１００へ送信する（ステップＳ１０７）。
【００６３】
ＩＣコイン発行装置１００は、カード受付信号を受信すると、ＩＣコイン発行部１０２により、新たなＩＣコイン（ＴＣ）を排出する（ステップＳ１０８）。
【００６４】
引き続き、ＩＣコイン発行装置１００は、発行したＩＣコインのコインＩＤと会員カード受付装置２００から受信した受付タスクＩＤとを、ＩＣコイン管理装置４０を経由してメンバー管理装置３０へ送信する（ステップＳ１０９）。
【００６５】
ＩＣコイン管理装置４０は、当該コインＩＤを受信すると、本日の日付情報を時計４９より取得し、論理マネー管理ファイル４１の当該コインＩＤに基づく有効期限の欄に本日をＩＣコインの発行日とする発行日データを記憶する（ステップＳ１１０）。具体的な例としては、図２に示されるように、論理マネー管理ファイル４１において、新たに発行されたＩＣコイン（ＴＣ）のコインＩＤ（例えばＩＤ＝１００）に対応する有効期限の欄に、当該ＩＣコインが発行された本日の日付情報（例えば２００４年１２月１０日）が記憶される。
【００６６】
そして、ＩＣコイン管理装置４０は、当該コインＩＤと受付タスクＩＤとをメンバー管理装置３０へ転送する（ステップＳ１１１）。
【００６７】
メンバー管理装置４０は、図７に示されるように、会員カード受付装置２００から受付タスクＩＤとともに受信した会員番号と、ＩＣコイン管理装置４０から受付タスクＩＤとともに受信したコインＩＤのうち、受付タスクＩＤが相互に一致する信号に含まれる会員番号とコインＩＤとを、貯玉データファイル３２に対応付けて記憶する（ステップＳ１１２）。
【００６８】
かかる処理手続きにより、会員カード受付装置２００に会員カードを挿入した遊技客は、ＩＣコイン発行装置１００からテンポラリなＩＣコイン（ＴＣ）が発行されて貸与される。
【００６９】
次に、会員が貯玉した遊技球を、テンポラリＩＣコイン（ＴＣ）を使って払い出す動作について説明する。図８は、テンポラリＩＣコイン（ＴＣ）の使用動作に係る部分のハードウェアシステム構成を表したブロック図である。
【００７０】
同図において、台間玉貸機１０は、動作制御を司るマイクロコンピュータからなる制御部１１に、ＩＣコイン受付部１２と、遊技球をパチンコ機２０に払い出す玉払出部１３と、ＩＣコイン発行装置４０と回線接続し通信を可能にする通信回路１４とが接続されている。
【００７１】
本システムにより、会員が貯玉した遊技球をテンポラリＩＣコイン（ＴＣ）を使って払い出す動作について、図８のブロック図、及び図９のフローチャートを参照しながら説明する。
【００７２】
まず、貯玉の払い出しを求める遊技客は、ＩＣコイン発行装置１００によって取得したＩＣコイン（ＴＣ）を台間玉貸機１０に投入する（ステップＳ２０１）。
【００７３】
台間玉貸機１０は、ＩＣコイン受付部１２により、投入されたＩＣコイン（ＴＣ）からそのコインＩＤを読み取る（ステップＳ２０２）。そして、読み取ったコインＩＤを含む払出許可を要求する信号をＩＣコイン管理装置４０を経由してメンバー管理装置３０へ送信する（ステップＳ２０３）。
【００７４】
このとき、ＩＣコイン管理装置４０のＣＰＵ４３は、論理マネー管理ファイル４１を参照し、受信したコインＩＤのＩＣコインはテンポラリか否か調べる。テンンポラリのＩＣコインであれば、論理マネー管理ファイル４１において、そのコインＩＤに基づく有効期限の欄に発行日データが記憶されている（例えば、図２に示すコインＩＤ＝１００を参照）。そして、ＩＣコイン管理装置４０は、当該ＩＣコイン（ＴＣ）がテンポラリである場合、時計４９より現在の日付時間情報を取得し、当該時が論理マネー管理ファイル４１に記憶された当該コインＩＤに基づく有効期限内か否か判断する。有効期限以内である場合、すなわち本日がそのＩＣコインの発行当日であれば、メンバー管理装置３０へ当該コインＩＤを含む払出許可要求の信号を転送する（ステップＳ２０４）。
【００７５】
現在の時刻が上記有効期限を過ぎている場合には、ＩＣコイン管理装置４０は、払出許可要求の信号をメンバー管理装置３０へ転送しないか、または遊技球の払い出しを規制する旨の払出規制信号を当該台間玉貸機１０へ返信する。かかる処理手続きにより、本システムは、ＩＣコインが使用可能な有効期限をそのＩＣコインの発行当日限りとする期限管理を行っている。
【００７６】
メンバー管理装置３０は、受信した払出許可要求に含まれるコインＩＤに基づいて、当該ＩＣコインを台間玉貸機１０に投入した会員の会員番号を、貯玉データファイル３２を参照して特定し、当該会員の貯玉データから予め定められた貸出玉数を減算する（ステップＳ２０５）。そして、玉払出許可の信号をＩＣコイン管理装置４０を経由して当該台間玉貸機１０へ送信する（ステップＳ２０６、Ｓ２０７）。なお、メンバー管理装置３０は、当該会員の貯玉データが上記貸出玉数よりも少ない場合には、貯玉データを変更することなく、払出規制信号を当該台間玉貸機１０へ送信する。
【００７７】
当該台間玉貸機１０は、玉払出許可の信号を受信すると、上記貸出玉数の遊技球を玉払出部１３によりパチンコ機２０へ払い出し、ＩＣコイン（ＴＣ）を遊技客へ返却する（ステップＳ２０８）。
【００７８】
このように、本システムは、テンポラリなＩＣコイン（ＴＣ）を使って遊技客にパチンコ機２０における貯玉の再プレイを提供することができる。
【００７９】
上述したように、本実施形態に示された玉貸システムによれば、以下に示す進歩的で有利な効果が期待される。
【００８０】
パチンコホールにおいて、会員管理システムと連携した貯玉再プレイ機能とＩＣコインを介して会員及び非会員の遊技客が共に利用可能な高額対応の玉貸し機能とを併存させたシステムを簡易な構成で提供することができる。すなわち、会員管理システムと連携するＩＣコイン発行装置１００を設け、会員の貯玉に基づくＩＣコイン（ＴＣ）を使って貯玉再プレイの機能を提供するようにしたので、それぞれの台間玉貸機１０には、少なくともＩＣコインを受け付ける機能があればよく、従来のように、会員カード受付手段と高額入金手段等を併存させる必要がなくなる。
【００８１】
特に、パチンコ機２０の貯玉再プレイ機能に係る会員管理システムがホールに既に構築されている場合には、会員カード受付装置２００にＩＣコイン発行装置１００を接続するだけで、既存の会員管理システムにＩＣコインを使用する高額対応の玉貸しネットワークシステムを増設することができる。すなわち、本玉貸システムは、会員管理システム（メンバー管理装置３０）から登録会員に関わる一切の情報を漏らすことなく機能するシステム構成となっているので、会員情報を保護しながらも、他社が供給する高額対応の玉貸しシステムを増設することが可能となっている。
【００８２】
また、会員管理システム（会員カード受付装置２００）側からカード受付信号とともに、読み取った会員番号を高額対応の玉貸しシステム（ＩＣコイン発行装置１００）側へ送信するシステム構成とすれば、上述の受付タスクＩＤを生成しなくてもメンバー管理装置３０において会員番号とコインＩＤとを対応させることができ、システムの構成を更に簡易にすることができる。
【００８３】
また、会員カード受付機能とＩＣコイン発行機能とを１つのユニットで構成してもよい。これにより、システムの構成が更に簡易となる。
【００８４】
また、一旦、ＩＣコイン（ＴＣ）を発行すれば、会員カードを使用しなくても有効期限においてそのＩＣコインのみを用いて遊技球の払い出しができるので、遊技客は複数種類の金銭代用媒体を使い分けしなくても済み、利便性がある。
【００８５】
また、会員認証のためのパスワードの入力は、ＩＣコイン（ＴＣ）を発行するときのみであり、これ以外の遊技球の払い出し等の操作時には不要であるため、遊技操作が簡便となる。また、入力パスワードが盗み見られる機会が少なくなるので、安全性が高まる。
【００８６】
また、会員カード受付装置２００のキー入力部２０３を入力し易い適宜の大きさに形成し、ＩＣコイン発行装置１００とともにパチンコホールのボックスコーナ等に設置すれば、遊技客は他人の目を気にすることなく、安心してパスワードを入力することができる。
【００８７】
また、ＩＣコイン（ＴＣ）は、発行当日のみ有効なので、仮に盗用または転売等されたとしても、これによる損害を抑制することができる。
【産業上の利用可能性】
【００８８】
本発明は、パチンコ、パチスロ等の遊技機を設置する遊技店舗に構築されるシステムに限らず、メンバーとビジター共にサービスを提供する施設及び販売店舗等における料金決済システムとしての応用が可能である。具体的には、例えば、貸し出したゴルフボールを他の日に持ち越して練習ができるようなゴルフ練習場、または敷地内に設けられた各種レジャー施設への入場券を一旦預け再入場が可能な大規模レジャーランド、或いはトレーニング機器等の使用を従量制の課金システムで提供するようなアスレチッククラブ等における料金自動支払い（決済）システムといった広範な利用態様のビジネスへの展開が見込まれる。
【図面の簡単な説明】
【００８９】
【図１】図１は、本発明の一実施形態による、玉貸システムの全体構成を示すブロック図である。
【図２】図２は、本発明の一実施形態による、ＩＣコイン管理装置に記憶された論理マネー管理ファイルのデータ構成を例示する図である。
【図３】図３は、本発明の一実施形態による、メンバー管理装置に記憶されたメンバー管理ファイルと貯玉データファイルのデータ構成を例示する図である。
【図４】図４は、本発明の一実施形態による、ＩＣコインの発行動作に係るシステムのハードウェア構成を例示するブロック図である。
【図５】図５は、本発明の一実施形態による、ＩＣコインの発行処理動作を表すフローチャートである。
【図６】図５は、本発明の一実施形態による、ＩＣコインの発行処理動作を更に表すフローチャートである。
【図７】図７は、本発明の一実施形態による、メンバー管理装置に記憶された貯玉データファイルのデータ内容を例示する図である。
【図８】図８は、本発明の一実施形態による、ＩＣコインを使った遊技球の払い出し動作に係るシステムのハードウェア構成を例示するブロック図である。
【図９】図９は、本発明の一実施形態による、ＩＣコインを使った遊技球の払い出し処理動作を表すフローチャートである。
【図１０】図１０は、本発明の一実施形態による、メンバー管理装置に記憶された貯玉データファイルのデータ内容を例示する図である。
【符号の説明】
【００９０】
１０…台間玉貸機、
１１…制御部、１２…ＩＣコイン受付部、１３…玉払出部、１４…通信回路、
２０…パチンコ機、
３０…メンバー管理装置、
３１…メンバー管理ファイル、３２…貯玉データファイル、３３…ＣＰＵ、
３４…記憶装置、３５…ＲＯＭ、３６…ＲＡＭ、３７、３８…通信回路、
４０…ＩＣコイン管理装置、
４１…論理マネー管理ファイル、４３…ＣＰＵ、４４…記憶装置、
４５…ＲＯＭ、４６…ＲＡＭ、４７、４８…通信回路、４９…時計、
５０…預り金両替機、６０…預り金返却機、
７０…ゲートウェイ、８０…ＰＯＳシステム、９０…玉計数機、
１００…ＩＣコイン発行装置、
１０１…制御部、１０２…ＩＣコイン発行部、１０３、１０４…通信回路、
２００…会員カード受付装置、
２０１…制御部、２０２…カードデータ読取部、２０３…キー入力部、
２０４、２０５…通信回路、
５００、６００…ネットワーク
【図１】
2006158843.tif 000003
【図２】
2006158843.tif 000004
【図３】
2006158843.tif 000005
【図４】
2006158843.tif 000006
【図５】
2006158843.tif 000007
【図６】
2006158843.tif 000008
【図７】
2006158843.tif 000009
【図８】
2006158843.tif 000010
【図９】
2006158843.tif 000011
【図１０】
2006158843.tif 000012